(57)【特許請求の範囲】
【請求項１】
電子文書の印刷を指示する印刷指示情報から、当該電子文書を構成する複数の文書要素のそれぞれに対して指定された色値を示す色値情報を抽出する抽出手段と、
前記抽出手段により抽出された前記色値情報に基づいて、前記電子文書における特定の文書要素の種別に対して指定された色値の分布状態を示す分布状態情報を生成する生成手段と、
前記生成手段により生成された前記分布状態情報に基づいて、前記電子文書を媒体に印刷する際に発生する可能性がある不具合を検出する検出手段と
を備え、
前記抽出手段は、前記複数の文書要素のそれぞれに対して指定された色値の処理手順を示す処理手順情報を更に抽出し、
前記検出手段は、前記電子文書における文書要素の種別に対して指定された色値の処理が当該文書要素の種別に応じた処理手順で行われることを前記処理手順情報が示しており、かつ、前記電子文書における互いに隣接する異なる種別の文書要素に対して指定された色値が等価な色値であることを前記分布状態情報が示す場合に、前記不具合を検出することを特徴とする情報分析装置。
【請求項２】
電子文書の印刷を指示する印刷指示情報を送信する情報送信装置と、
前記情報送信装置により送信された前記印刷指示情報に基づいて第１の文書画像を第１の媒体に形成する第１の画像形成装置と、
前記第１の画像形成装置により前記第１の媒体に形成された前記第１の文書画像を読み取る第１の画像読取装置と、
前記情報送信装置により送信された前記印刷指示情報に基づいて第２の文書画像を第２の媒体に形成する第２の画像形成装置と、
前記第２の画像形成装置により前記第２の媒体に形成された前記第２の文書画像を読み取る第２の画像読取装置と、
前記第１の画像読取装置により読み取られた前記第１の文書画像と、前記第２の画像読取装置により読み取られた前記第２の文書画像とに基づいて、前記第１の画像形成装置で形成される画像の画質特性と、前記第２の画像形成装置で形成される画像の画質特性とを近付けるための情報を生成する情報生成装置と
を備え、
前記情報送信装置は、
前記電子文書を構成する複数の文書要素のそれぞれに対して指定された色値を示す色値情報を前記印刷指示情報から抽出する抽出手段と、
前記抽出手段により抽出された前記色値情報に基づいて、前記電子文書における特定の文書要素の種別に対して指定された色値の分布状態を示す分布状態情報を生成する生成手段と、
前記生成手段により生成された前記分布状態情報に基づいて、前記第１の文書画像及び前記第２の文書画像に発生する可能性がある不具合を検出する検出手段と
を備えたことを特徴とする画像処理システム。
【請求項３】
コンピュータに、
電子文書の印刷を指示する印刷指示情報から、当該電子文書を構成する複数の文書要素のそれぞれに対して指定された色値を示す色値情報を抽出する機能と、
抽出された前記色値情報に基づいて、前記電子文書における特定の文書要素の種別に対して指定された色値の分布状態を示す分布状態情報を生成する機能と、
生成された前記分布状態情報に基づいて、前記電子文書を媒体に印刷する際に発生する可能性がある不具合を検出する機能と
を実現させ、
前記抽出する機能は、前記複数の文書要素のそれぞれに対して指定された色値の処理手順を示す処理手順情報を更に抽出し、
前記検出する機能は、前記電子文書における文書要素の種別に対して指定された色値の処理が当該文書要素の種別に応じた処理手順で行われることを前記処理手順情報が示しており、かつ、前記電子文書における互いに隣接する異なる種別の文書要素に対して指定された色値が等価な色値であることを前記分布状態情報が示す場合に、前記不具合を検出するプログラム。
【請求項４】
電子文書の印刷を指示する印刷指示情報から、当該電子文書を構成する複数の文書要素のそれぞれに対して指定された色値を示す色値情報を抽出する抽出手段と、
前記抽出手段により抽出された前記色値情報に基づいて、前記電子文書における特定の文書要素の種別に対して指定された色値の分布状態を示す分布状態情報を生成する分布状態情報生成手段と、
前記分布状態情報生成手段により生成された前記分布状態情報に基づいて、前記電子文書を媒体に印刷する際に発生する可能性がある不具合を検出する検出手段と、
前記検出手段により前記不具合が検出された場合に、当該不具合に応じて前記印刷指示情報を補正する補正手段と、
前記補正手段による補正後の前記印刷指示情報に基づいて第１の画像形成装置で形成された画像を読み取って得られた読取画像と、前記補正手段による補正後の前記印刷指示情報に基づいて第２の画像形成装置で形成された画像を読み取って得られた読取画像とを用いて、当該第１の画像形成装置で形成される画像の画質特性を当該第２の画像形成装置で形成される画像の画質特性に近付けるための画質特性変更情報を生成する画質特性変更情報生成手段と
を備えたことを特徴とする情報処理装置。
【請求項５】
コンピュータに、
電子文書の印刷を指示する印刷指示情報から、当該電子文書を構成する複数の文書要素のそれぞれに対して指定された色値を示す色値情報を抽出する機能と、
抽出された前記色値情報に基づいて、前記電子文書における特定の文書要素の種別に対して指定された色値の分布状態を示す分布状態情報を生成する機能と、
生成された前記分布状態情報に基づいて、前記電子文書を媒体に印刷する際に発生する可能性がある不具合を検出する機能と、
前記不具合が検出された場合に、当該不具合に応じて前記印刷指示情報を補正する機能と、
補正後の前記印刷指示情報に基づいて第１の画像形成装置で形成された画像を読み取って得られた読取画像と、補正後の前記印刷指示情報に基づいて第２の画像形成装置で形成された画像を読み取って得られた読取画像とを用いて、当該第１の画像形成装置で形成される画像の画質特性を当該第２の画像形成装置で形成される画像の画質特性に近付けるための画質特性変更情報を生成する機能と
を実現させるためのプログラム。
【発明の詳細な説明】
【技術分野】
【０００１】
本発明は、情報分析装置、画像処理システム、プログラムに関する。
【背景技術】
【０００２】
印刷前のプリフライトチェックにおいて、印刷環境の資源もあわせてチェックし、ドキュメントの内容と照合する技術は知られている（例えば、特許文献１参照）。この特許文献１の技術では、プリフライトチェックを行うＰＣの環境を調査し、プリンタのフォントを利用する場合にはプリンタの調査を行う。その後、ドキュメントを解析して使用される資源を調査する。そしてＰＣの環境及びプリンタの環境と、ドキュメントで使用される資源とを照合し、使用できないフォントやカラープロファイルが存在する場合や、ドキュメントに含まれるイメージの解像度がプリンタの解像度と大幅にかけ離れている場合、オペレータに対して警告の表示を出力し、必要に応じてドキュメントを編集させる。
【０００３】
印刷しようとするドキュメント内の、印刷に関する情報やドキュメントの内容を解析を行うことにより、解析結果をクライアントに通知することで無駄な印刷を無くすことができるプリンタサーバも知られている（例えば、特許文献２参照）。この特許文献２の技術は、プリンタサーバ内で印刷ジョブ解析手段を用いて印刷ジョブの内容を解析し、印刷ステータス（ファイル、ページ数、部数、カラー／モノクロ、トナーセーブ、過去に同一ファイルが印刷されたかどうかの情報、テキストのスペルミス）をクライアントに送信し、クライアントが所望する印刷ジョブになっているかどうかをクライアントに判断させる構成となっている。
【先行技術文献】
【特許文献】
【０００４】
【特許文献１】特開２００５−１４９４０７号公報
【特許文献２】特開２０００−１２２８３５号公報
【発明の概要】
【発明が解決しようとする課題】
【０００５】
本発明の目的は、電子文書を媒体に印刷する際に発生する可能性がある不具合を印刷前に検出することにある。
【課題を解決するための手段】
【０００６】
請求項１に記載の発明は、電子文書の印刷を指示する印刷指示情報から、当該電子文書を構成する複数の文書要素のそれぞれに対して指定された色値を示す色値情報を抽出する抽出手段と、前記抽出手段により抽出された前記色値情報に基づいて、前記電子文書における特定の文書要素の種別に対して指定された色値の分布状態を示す分布状態情報を生成する生成手段と、前記生成手段により生成された前記分布状態情報に基づいて、前記電子文書を媒体に印刷する際に発生する可能性がある不具合を検出する検出手段とを備え、前記抽出手段は、前記複数の文書要素のそれぞれに対して指定された色値の処理手順を示す処理手順情報を更に抽出し、前記検出手段は、前記電子文書における文書要素の種別に対して指定された色値の処理が当該文書要素の種別に応じた処理手順で行われることを前記処理手順情報が示しており、かつ、前記電子文書における互いに隣接する異なる種別の文書要素に対して指定された色値が等価な色値であることを前記分布状態情報が示す場合に、前記不具合を検出することを特徴とする情報分析装置である。
請求項２に記載の発明は、電子文書の印刷を指示する印刷指示情報を送信する情報送信装置と、前記情報送信装置により送信された前記印刷指示情報に基づいて第１の文書画像を第１の媒体に形成する第１の画像形成装置と、前記第１の画像形成装置により前記第１の媒体に形成された前記第１の文書画像を読み取る第１の画像読取装置と、前記情報送信装置により送信された前記印刷指示情報に基づいて第２の文書画像を第２の媒体に形成する第２の画像形成装置と、前記第２の画像形成装置により前記第２の媒体に形成された前記第２の文書画像を読み取る第２の画像読取装置と、前記第１の画像読取装置により読み取られた前記第１の文書画像と、前記第２の画像読取装置により読み取られた前記第２の文書画像とに基づいて、前記第１の画像形成装置で形成される画像の画質特性と、前記第２の画像形成装置で形成される画像の画質特性とを近付けるための情報を生成する情報生成装置とを備え、前記情報送信装置は、前記電子文書を構成する複数の文書要素のそれぞれに対して指定された色値を示す色値情報を前記印刷指示情報から抽出する抽出手段と、前記抽出手段により抽出された前記色値情報に基づいて、前記電子文書における特定の文書要素の種別に対して指定された色値の分布状態を示す分布状態情報を生成する生成手段と、前記生成手段により生成された前記分布状態情報に基づいて、前記第１の文書画像及び前記第２の文書画像に発生する可能性がある不具合を検出する検出手段とを備えたことを特徴とする画像処理システムである。
請求項３に記載の発明は、コンピュータに、電子文書の印刷を指示する印刷指示情報から、当該電子文書を構成する複数の文書要素のそれぞれに対して指定された色値を示す色値情報を抽出する機能と、抽出された前記色値情報に基づいて、前記電子文書における特定の文書要素の種別に対して指定された色値の分布状態を示す分布状態情報を生成する機能と、生成された前記分布状態情報に基づいて、前記電子文書を媒体に印刷する際に発生する可能性がある不具合を検出する機能とを実現させ、前記抽出する機能は、前記複数の文書要素のそれぞれに対して指定された色値の処理手順を示す処理手順情報を更に抽出し、前記検出する機能は、前記電子文書における文書要素の種別に対して指定された色値の処理が当該文書要素の種別に応じた処理手順で行われることを前記処理手順情報が示しており、かつ、前記電子文書における互いに隣接する異なる種別の文書要素に対して指定された色値が等価な色値であることを前記分布状態情報が示す場合に、前記不具合を検出するプログラムである。
請求項４に記載の発明は、電子文書の印刷を指示する印刷指示情報から、当該電子文書を構成する複数の文書要素のそれぞれに対して指定された色値を示す色値情報を抽出する抽出手段と、前記抽出手段により抽出された前記色値情報に基づいて、前記電子文書における特定の文書要素の種別に対して指定された色値の分布状態を示す分布状態情報を生成する分布状態情報生成手段と、前記分布状態情報生成手段により生成された前記分布状態情報に基づいて、前記電子文書を媒体に印刷する際に発生する可能性がある不具合を検出する検出手段と、前記検出手段により前記不具合が検出された場合に、当該不具合に応じて前記印刷指示情報を補正する補正手段と、前記補正手段による補正後の前記印刷指示情報に基づいて第１の画像形成装置で形成された画像を読み取って得られた読取画像と、前記補正手段による補正後の前記印刷指示情報に基づいて第２の画像形成装置で形成された画像を読み取って得られた読取画像とを用いて、当該第１の画像形成装置で形成される画像の画質特性を当該第２の画像形成装置で形成される画像の画質特性に近付けるための画質特性変更情報を生成する画質特性変更情報生成手段とを備えたことを特徴とする情報処理装置である。
請求項５に記載の発明は、コンピュータに、電子文書の印刷を指示する印刷指示情報から、当該電子文書を構成する複数の文書要素のそれぞれに対して指定された色値を示す色値情報を抽出する機能と、抽出された前記色値情報に基づいて、前記電子文書における特定の文書要素の種別に対して指定された色値の分布状態を示す分布状態情報を生成する機能と、生成された前記分布状態情報に基づいて、前記電子文書を媒体に印刷する際に発生する可能性がある不具合を検出する機能と、前記不具合が検出された場合に、当該不具合に応じて前記印刷指示情報を補正する機能と、補正後の前記印刷指示情報に基づいて第１の画像形成装置で形成された画像を読み取って得られた読取画像と、補正後の前記印刷指示情報に基づいて第２の画像形成装置で形成された画像を読み取って得られた読取画像とを用いて、当該第１の画像形成装置で形成される画像の画質特性を当該第２の画像形成装置で形成される画像の画質特性に近付けるための画質特性変更情報を生成する機能とを実現させるためのプログラムである。
【発明の効果】
【０００７】
請求項１の発明によれば、電子文書を媒体に印刷する際に発生する可能性がある不具合として、等価な色値が指定された異なる種別の文書要素が隣接することにより色段差が生じる不具合を印刷前に検出することができる。
請求項２の発明によれば、電子文書を媒体に印刷する際に発生する可能性がある不具合を印刷前に検出することができる。
請求項３の発明によれば、電子文書を媒体に印刷する際に発生する可能性がある不具合として、等価な色値が指定された異なる種別の文書要素が隣接することにより色段差が生じる不具合を印刷前に検出することができる。
請求項４の発明によれば、電子文書を媒体に印刷する際に発生する可能性がある不具合を印刷前に検出することができる。
請求項５の発明によれば、電子文書を媒体に印刷する際に発生する可能性がある不具合を印刷前に検出することができる。
【図面の簡単な説明】
【０００８】
【図１】本発明の実施の形態における画像ハンドリングシステムの全体構成を示した図である。
【図２】本発明の実施の形態の画像ハンドリングシステムにおける各装置の機能構成例を示した図である。
【図３】本発明の実施の形態の画像ハンドリングシステムにおける画像ハンドリングユーティリティの動作例を示したフローチャートである。
【図４】印刷指示データから画質項目を抽出することによって生成される色値分布情報の一例を示した図である。
【図５】本発明の実施の形態の画像ハンドリングシステムにおける画質項目抽出部の機能構成例を示した図である。
【図６】本発明の実施の形態の画像ハンドリングシステムにおける画質項目抽出部の動作例を示したフローチャートである。
【図７】本発明の実施の形態の画像ハンドリングシステムにおける画質項目抽出部が実行するプロセスＫリスク分析処理の流れを示したフローチャートである。
【図８】本発明の実施の形態の画像ハンドリングシステムにおける画質項目抽出部が実行する再現不良リスク分析処理の流れを示したフローチャートである。
【図９】本発明の実施の形態の画像ハンドリングシステムにおける画質項目抽出部が実行する色細線リスク分析処理の流れを示したフローチャートである。
【図１０】本発明の実施の形態における画像ハンドリングシステムで生成される画質ターゲット情報の例を示した図である。
【図１１】本発明の実施の形態の画像ハンドリングシステムにおける画像ハンドリング部の動作例を示したフローチャートである。
【図１２】本発明の実施の形態における画像ハンドリングシステムで送信される画質指示の例を示した図である。
【図１３】本発明の実施の形態における画像ハンドリングシステムで送信される描画コマンドの例を示した図である。
【図１４】本発明の実施の形態の画像ハンドリングシステムにおける端末装置のハードウェア構成図である。
【図１５】本発明の実施の形態の画像ハンドリングシステムにおける画像処理装置の構成例を示した図である。
【発明を実施するための形態】
【０００９】
以下、添付図面を参照して、本発明の実施の形態について詳細に説明する。
図１は、本実施の形態が適用される画像ハンドリングシステムの構成例を示したものである。
図示するように、この画像ハンドリングシステムは、端末装置１０と、ターゲット画像処理装置（以下、「ターゲット装置」という）３０ａと、ハンドリング画像処理装置（以下、「ハンドリング装置」という）３０ｂとがネットワーク８０を介して接続されることにより、構成されている。
【００１０】
端末装置１０は、ターゲット装置３０ａ及びハンドリング装置３０ｂに対して印刷を指示するデータ（以下、「印刷指示データ」という）を送信するコンピュータ装置である。ここで、端末装置１０としては、例えばＰＣ（Personal Computer）を用いればよく、この場合、ＰＣは、クライアントＰＣとして動作するものであってもサーバＰＣとして動作するものであってもよい。本実施の形態では、情報送信装置、情報生成装置の一例として、端末装置１０を設けている。
【００１１】
ターゲット装置３０ａは、紙等の媒体から画像を読み取る画像読取機能、紙等の媒体に画像を形成する画像形成機能等を有し、出力される画像の画質特性に関して他の画像処理装置の目標となる画像処理装置である。ここで、画質特性とは、画質に関する項目（以下、「画質項目」という）ごとの特性を意味している。例えば、画質項目として色を考えると、画質特性は、各ＣＭＹＫ信号に基づいて再現される色のＬａｂ空間での値等であり、画質項目として線を考えると、画質特性は、各ポイント値に基づいて再現される線幅のマイクロメートル値等である。
ハンドリング装置３０ｂは、紙等の媒体から画像を読み取る画像読取機能、紙等の媒体に画像を形成する画像形成機能等を有し、出力される画像の画質特性をターゲット装置３０ａの画質特性に近付くように変化させる対象となる画像処理装置である。
【００１２】
ネットワーク８０は、端末装置１０とターゲット装置３０ａ及びハンドリング装置３０ｂとが情報通信を行う際に用いられる通信回線網である。ここで、ネットワーク８０としては、ＬＡＮ（Local Area Network）やインターネットを用いるとよい。
【００１３】
次に、図１の画像ハンドリングシステムにおける各装置の機能構成について説明する。
図２は、画像ハンドリングシステムにおける各装置の機能構成例を示したブロック図である。
まず、端末装置１０の機能構成について説明する。
図示するように、端末装置１０では、アプリケーションプログラム（以下、「アプリケーション」という）１８と、プリンタドライバ１９と、画像ハンドリングユーティリティ２０とが動作する。
このうち、アプリケーション１８は、ユーザの操作に応じて、原稿データを作成したり、作成済の原稿データを取り込んだりするプログラムである。
プリンタドライバ１９は、アプリケーション１８から原稿データに基づく印刷の要求があると、ターゲット装置３０ａ及びハンドリング装置３０ｂに原稿の印刷を指示する印刷指示データを送信するプログラムである。ここで、印刷指示データとは、例えばＰＤＬ（Page Description Language）で記述されたＰＤＬデータである。また、印刷指示データには、解像度、階調情報、スクリーン等の画質に関する指示である画質指示と、文字、図形、イメージ等の描画命令である描画コマンドとが含まれる。本実施の形態では、電子文書の一例として、原稿データを用いており、電子文書の印刷を指示する印刷指示情報の一例として、印刷指示データを用いている。
【００１４】
画像ハンドリングユーティリティ２０は、ハンドリング装置３０ｂで出力される画像の画質特性をターゲット装置３０ａで出力される画像の画質特性に近付けるための情報を生成する処理（以下、「ターゲットマッチング処理」という）を行うユーティリティプログラムである。尚、本実施の形態では、画像ハンドリングユーティリティ２０を、端末装置１０で実現されるものとして説明するが、例えば、ハンドリング装置３０ｂで実現されるものであってもよいし、独立した装置で実現されるものであってもよい。また、本実施の形態では、ターゲット装置３０ａの画質特性を基準としてハンドリング装置３０ｂの画質特性をこれに近付ける例を述べるが、ターゲット装置３０ａの画質特性とハンドリング装置３０ｂの画質特性の中間の画質特性を採用することにより、これらの画質特性を近付けるようにしてもよい。
【００１５】
そして、端末装置１０は、この画像ハンドリングユーティリティ２０の機能として、画質項目抽出部２１と、抽象化原稿生成部２２と、描画オブジェクト記憶部２３と、出力指示部２４と、読取画像受付部２５と、画質特性比較部２６と、画質ターゲット情報生成部２８とを備える。
【００１６】
画質項目抽出部２１は、プリンタドライバ１９から原稿の印刷を指示する印刷指示データを受け取り、この印刷指示データから画質項目を抽出する。
抽象化原稿生成部２２は、画質項目抽出部２１が抽出した画質項目に基づいて、抽象化した原稿データ（以下、「抽象化原稿データ」という）を生成する。具体的には、画質項目抽出部２１が抽出した画質項目に関するターゲットマッチング処理が行い易いように、その画質項目に着目した抽象化原稿データを生成する。
描画オブジェクト記憶部２３は、抽象化原稿データを生成するために必要な描画オブジェクトを描画コマンドの形式で記憶したデータベースである。
出力指示部２４は、抽象化原稿データをプリンタドライバ１９に受け渡すことにより、プリンタドライバ１９に対して、抽象化原稿の印刷を指示する印刷指示データの出力指示を行う。
【００１７】
読取画像受付部２５は、後述するように、プリンタドライバ１９からの印刷指示データに基づいて出力された抽象化原稿をターゲット装置３０ａの画像読取部６０ａ及びハンドリング装置３０ｂの画像読取部６０ｂで読み取ることで得られた読取画像を、ネットワーク８０を通じて受け付ける。
画質特性比較部２６は、画質項目抽出部２１が抽出した画質項目ごとに、読取画像受付部２５がターゲット装置３０ａから受け付けた読取画像と、読取画像受付部２５がハンドリング装置３０ｂから受け付けた読取画像とを比較する。
画質ターゲット情報生成部２８は、画質特性比較部２６による読取画像の比較結果に基づいて、ハンドリング装置３０ｂで出力される画像の画質特性をターゲット装置３０ａで出力される画像の画質特性に近付けるための情報（以下、「画質ターゲット情報」という）を生成する。
【００１８】
次に、ターゲット装置３０ａの機能構成について説明する。
図示するように、ターゲット装置３０ａは、画像処理部４０ａと、画像形成部５０ａと、画像読取部６０ａとを含んでいる。
このうち、画像処理部４０ａは、プリンタドライバ１９からネットワーク８０を通じて送信された印刷指示データに基づいて、画像処理を行い、画像データを出力する。
画像形成部５０ａは、画像処理部４０ａが出力した画像データに基づいて紙等の媒体に画像を形成し、原稿（抽象化原稿を含む）を出力する。本実施の形態では、第１の画像形成装置の一例として、画像形成部５０ａを設けている。
画像読取部６０ａは、画像形成部５０ａが出力した抽象化原稿を読み取り、読取画像をネットワーク８０を通じて読取画像受付部２５に送信する。尚、この画像読取部６０ａは、画像形成部５０ａが出力した抽象化原稿を人手を介することなく読み取るインラインスキャナであってもよい。また、画像形成部５０ａとは別のスキャナ単体であってもよく、本実施の形態では２台の画像処理装置３０の調整に関して記載しているが、例えば画像処理装置３０が３台ある場合に、そのうち２台の画像処理装置３０の画像形成部５０の出力を１つのスキャナを用いて読み取ってもよい。本実施の形態では、第１の画像読取装置の一例として、画像読取部６０ａを設けている。
【００１９】
ここで、画像処理部４０ａについて更に詳しく説明すると、画像処理部４０ａは、入力情報通知部４１ａと、描画処理部４２ａと、色再現処理部４３ａと、中間調処理部４４ａとを備える。
入力情報通知部４１ａは、プリンタドライバ１９からネットワーク８０を通じて入力された印刷指示データを描画処理部４２ａに通知する。
描画処理部４２ａは、入力情報通知部４１ａから通知された印刷指示データに含まれる描画コマンドに基づいて画像データを描画する。
色再現処理部４３ａは、描画処理部４２ａにより描画された画像データに対して各種の色再現処理を施す。ここで、色再現処理としては、描画コマンドにおける特定の色空間の色信号をトナーの色を成分とする別の色空間の色信号に変換する処理、色信号を色再現範囲内の別の色信号へ変換する処理、色信号の階調を補正する処理等がある。
中間調処理部４４ａは、スクリーン処理等により擬似中間調の画像を生成する。
【００２０】
次いで、ハンドリング装置３０ｂの機能構成について説明する。
図示するように、ハンドリング装置３０ｂは、画像処理部４０ｂと、画像形成部５０ｂと、画像読取部６０ｂと、画像ハンドリング部７０とを含んでいる。
このうち、画像処理部４０ｂは、プリンタドライバ１９からネットワーク８０を通じて送信された印刷指示データに基づいて、画像処理を行い、画像データを出力する。
画像形成部５０ｂは、画像処理部４０ｂが出力した画像データに基づいて紙等の媒体に画像を形成し、原稿（抽象化原稿を含む）を出力する。本実施の形態では、第２の画像形成装置の一例として、画像形成部５０ｂを設けている。
画像読取部６０ｂは、画像形成部５０ｂが出力した抽象化原稿を読み取り、読取画像をネットワーク８０を通じて読取画像受付部２５に送信する。尚、この画像読取部６０ｂは、画像形成部５０ｂが出力した抽象化原稿を人手を介することなく読み取るインラインスキャナであってもよい。また、画像形成部５０ｂとは別のスキャナ単体であってもよく、本実施の形態では２台の画像処理装置３０の調整に関して記載しているが、例えば画像処理装置３０が３台ある場合に、そのうち２台の画像処理装置３０の画像形成部５０の出力を１つのスキャナを用いて読み取ってもよい。本実施の形態では、第２の画像読取装置の一例として、画像読取部６０ｂを設けている。
画像ハンドリング部７０は、ターゲット装置３０ａで出力される画像の画質特性に近い画質特性で画像を出力するための処理（以下、「画像ハンドリング処理」という）を行う。
【００２１】
ここで、画像処理部４０ｂについて更に詳しく説明すると、画像処理部４０ｂは、入力情報通知部４１ｂと、描画処理部４２ｂと、色再現処理部４３ｂと、中間調処理部４４ｂとを備える。
入力情報通知部４１ｂは、プリンタドライバ１９からネットワーク８０を通じて入力された印刷指示データを描画処理部４２ｂ及び画像ハンドリング部７０に通知する。
描画処理部４２ｂは、入力情報通知部４１ｂから通知された印刷指示データに含まれる描画コマンドに基づいて画像データを描画する。その際、画像ハンドリング部７０による決定に基づく描画処理を行う。
色再現処理部４３ｂは、描画処理部４２ｂにより描画された画像データに対して各種の色再現処理を施す。ここで、色再現処理としては、描画コマンドにおける特定の色空間の色信号をトナーの色を成分とする別の色空間の色信号に変換する処理、色信号を色再現範囲内の別の色信号へ変換する処理、色信号の階調を補正する処理等がある。その際、画像ハンドリング部７０による決定に基づく色再現処理を行う。
中間調処理部４４ｂは、スクリーン処理等により擬似中間調の画像を生成する。その際、画像ハンドリング部７０による決定に基づく中間調処理を行う。
【００２２】
また、画像ハンドリング部７０について更に詳しく説明すると、画像ハンドリング部７０は、指示判定部７１と、描画判定部７２と、画像ハンドリングターゲット決定部７３と、画質ターゲット情報記憶部７４と、画像ハンドリングパラメータ記憶部７５とを備える。
指示判定部７１は、入力情報通知部４１ｂから通知された印刷指示データに含まれる画質指示の内容を判定する。
描画判定部７２は、入力情報通知部４１ｂから通知された印刷指示データに含まれる描画コマンドの内容を判定する。
画像ハンドリングターゲット決定部７３は、指示判定部７１が内容を判定した画質指示と、画質ターゲット情報記憶部７４に記憶された画質ターゲット情報とに基づいて、画像ハンドリング処理の目標となる画質特性を決定する。
画質ターゲット情報記憶部７４は、画像ハンドリングユーティリティ２０の画質ターゲット情報生成部２８により生成された画質ターゲット情報を記憶する。
画像ハンドリングパラメータ記憶部７５は、画像ハンドリングターゲット決定部７３により決定された画質特性で画像を出力する画像ハンドリング処理で用いられる画像ハンドリングパラメータを記憶する。
【００２３】
次に、本実施の形態における画像ハンドリングシステムの動作について説明する。
まず、画像ハンドリングシステムにおけるターゲットマッチング処理時の動作について説明する。
図３は、このときの画像ハンドリングユーティリティ２０の動作例を示したフローチャートである。
ユーザは、アプリケーション１８上で、画質特性を合わせたい原稿データと、画質特性を合わせる目標となるターゲット装置３０ａと、画質特性をその目標に合わせる対象であるハンドリング装置３０ｂとを指定する。これにより、プリンタドライバ１９が原稿データに基づく印刷を指示する印刷指示データを生成すると、画像ハンドリングユーティリティ２０の動作が開始する。
【００２４】
画像ハンドリングユーティリティ２０では、まず、画質項目抽出部２１が、指定された原稿データに基づく印刷を指示する印刷指示データをプリンタドライバ１９から取得する（ステップ２０１）。そして、その印刷指示データから画質項目を抽出する（ステップ２０２）。具体的には、印刷指示データにおける描画コマンドから、文字、イメージ、図形等の画質項目を抽出する。例えば、原稿データが名刺である場合、名前部分を文字として、顔写真部分をイメージとして、コーポレートロゴ部分を図形として抽出する。
【００２５】
次に、抽象化原稿生成部２２が、ステップ２０１で画質項目抽出部２１が抽出した画質項目を重視しつつ原稿データを抽象化した抽象化原稿データを生成する（ステップ２０３）。尚、このとき、抽象化原稿データは、描画オブジェクト記憶部２３に記憶された描画オブジェクトを用いて生成される。
そして、出力指示部２４が、ステップ２０３で抽象化原稿生成部２２が生成した抽象化原稿データをプリンタドライバ１９に渡すことにより、ターゲット装置３０ａ及びハンドリング装置３０ｂでの抽象化原稿の出力を指示する（ステップ２０４）。すると、プリンタドライバ１９は、抽象化原稿データに基づく印刷を指示する印刷指示データをターゲット装置３０ａ及びハンドリング装置３０ｂに出力し、これにより、ターゲット装置３０ａは画像形成部５０ａで、ハンドリング装置３０ｂは画像形成部５０ｂで、それぞれ抽象化原稿を出力することになる。
【００２６】
その後、画像形成部５０ａで出力された抽象化原稿は画像読取部６０ａで、画像形成部５０ｂで出力された抽象化原稿は画像読取部６０ｂでそれぞれ読み取られ、読取画像がネットワーク８０を通じて画像ハンドリングユーティリティ２０に渡される。
すると、画像ハンドリングユーティリティ２０では、まず、読取画像受付部２５がこれらの読取画像を受け付ける（ステップ２０５）。
次に、画質特性比較部２６が、読取画像受付部２５から読取画像を受け取り、これらの読取画像に基づいて、ターゲット装置３０ａの画質特性とハンドリング装置３０ｂの画質特性とを比較する。具体的には、画質項目抽出部２１が抽出した画質項目に対して、読取画像受付部２５が受け付けたターゲット装置３０ａでの読取画像から得られる画質特性と、読取画像受付部２５が受け付けたハンドリング装置３０ｂでの読取画像から得られる画質特性との対応付けを行う（ステップ２０６）。
【００２７】
そして、画質特性比較部２６は、全ての画質項目について対応付けが終了したかどうかを判定する（ステップ２０７）。
その結果、全ての画質項目について対応付けが終了していないと判定すれば、画質特性比較部２６は、ステップ２０６に戻り、画質項目に対して、ターゲット装置３０ａでの読取画像から得られる画質特性と、ハンドリング装置３０ｂでの読取画像から得られる画質特性との対応付けを繰り返す。
一方、全ての画質項目について対応付けが終了したと判定すれば、画質特性比較部２６は、対応付けの結果を画質ターゲット情報生成部２８に渡し、画質ターゲット情報生成部２８が、画質ターゲット情報を生成してファイルに保存する（ステップ２０８）。そして、画質ターゲット情報をネットワーク８０を通じてハンドリング装置３０ｂの画像ハンドリング部７０に送信する（ステップ２０９）。これにより、画像ハンドリング部７０では、画質ターゲット情報が画質ターゲット情報記憶部７４に記憶される。
【００２８】
ここで、図３のステップ２０２における処理について、詳細に説明する。
このステップは、原稿データに基づく印刷を指示する印刷指示データから画質項目を抽出するステップであるが、本実施の形態では、このステップにおいて、原稿データを構成する文書要素の一例としてのオブジェクトの色値に関する画質的リスク（以下、単に「リスク」という）を分析し、リスクがあると判断すれば、原稿の印刷前に警告を行ったり、原稿の印刷前にリスクに対処する処理（補正等）を行ったりすることで、所望の画質の原稿を得ることができるようにする。
【００２９】
例えば、原稿データ中のイメージ以外のオブジェクトは、ＲＧＢ＝（０，０，０）若しくはＫ（黒）１００％、又は、Ｒ＝Ｇ＝Ｂでの再現を要求する描画指示がなされている場合、様々な手段によりＫ１００％又はＫのみでの再現が保証されるが、原稿データの作成過程によっては、Ｋ１００％又はＫのみでの再現が要求される描画部分にも関わらず、そのような再現がされないというリスクがある。具体的には、ＣＭＹＫ色空間で作成した原稿データをＰＤＦ（Portable Document Format）ファイルに変換する際、ＰＤＦファイルの色空間の既定値はＲＧＢ色空間なので、ＣＭＹＫ色空間の色値が一旦ＲＧＢ色空間の色値に変換されることがあるが、このとき、Ｋ１００％での再現が要求される部分がＲＧＢ＝（０，０，０）とならなかったり、Ｋのみでの再現が要求される部分がＲ＝Ｇ＝Ｂとならなかったりする場合である。
【００３０】
また、原稿データで極ハイライト部、極シャドー部、極グレイ部の色値が指定されている場合は、画像処理部４０ａ，４０ｂ又は画像形成部５０ａ，５０ｂで問題が発生し、再現不良となるリスクがある。ここで、「極ハイライト部」とは、ＲＧＢ＝（２５５，２５５，２５５）の色値を除くその色値の周囲のかなり明るい部分を意味し、白色以外で予め定められた基準以上白色に近い色の部分の一例である。また、「極シャドー部」とは、ＲＧＢ＝（０，０，０）の色値を除くその色値の周囲のかなり暗い部分を意味し、黒色以外で予め定められた基準以上黒色に近い色の部分の一例である。更に、「極グレイ部」とは、グレイ軸を除くグレイ軸にかなり近い部分を意味し、灰色軸上の色以外で予め定められた基準以上灰色軸に近い色の部分の一例である。
【００３１】
更に、原稿データ中の線に対して中間調で表現される色値が指定されている場合は、スクリーン処理を行うことにより、線が途切れて点線になるリスクがある。
そこで、本実施の形態では、このような色値の意図しない変化や色値の設定ミス等によるトラブルを事前に回避できるようにする。
【００３２】
まず、原稿データに発生するリスクについて、具体的な色値及びオブジェクトを用いて説明する。尚、本明細書では、ＲＧＢ色空間において、Ｒ値を単に「Ｒ」、Ｇ値を単に「Ｇ」、Ｂ値を単に「Ｂ」と称することがあるものとする。
図４は、原稿データを分析することで得られる各オブジェクト種別に対する色値の分布を示す色値分布情報を例示したものである。具体的には、色値分布情報は、色空間と、色値と、オブジェクト種別ごとのその色値が指定されたオブジェクトの数とを対応付けたものとなっている。尚、図では、色空間がＲＧＢの場合、色値１がＢを示し、色値２がＧを示し、色値３がＲを示すものとする。
【００３３】
（ａ）は、リスクがない原稿の場合の色値分布情報の例である。この色値分布情報において、例えば、Ｎｏ．１は、ＲＧＢ＝（０，０，０）、つまり、Ｋ１００％で再現される黒が、多くのテキスト及びグラフィックスに対して指定されていることを示している。
（ｂ）は、リスクがある原稿の場合の色値分布情報の第１の例である。この色値分布情報の第１の例は、ＣＭＹＫ色空間で作成した原稿データをＰＤＦファイルに変換した場合等に起き得る色値の意図しない変化が生じたときの例である。この色値分布情報の第１の例において、例えば、Ｎｏ．１は、Ｋ１００％で再現される黒を多くのテキスト及びグラフィックスに対して指定したにも関わらず、ＣＭＹＫ色空間からＲＧＢ色空間への変換等により、その黒の色値がＲＧＢ＝（０，０，０）から少しずれた色値になっていることを示している。
（ｃ）は、リスクがある原稿の場合の色値分布情報の第２の例である。この色値分布情報の第２の例は、再現不良が発生するときの例を含む。例えば、Ｎｏ．１は、極ハイライト部の色値で塗り潰しが行われたオブジェクトがあることを示す。また、この色値分布情報の第２の例は、線が途切れて点線になるときの例も含む。例えば、Ｎｏ．２は、明るい赤で描画された細線があることを示しているが、このような赤は中間調で表されるため、赤の点線になる虞がある。また、Ｎｏ．３は、中間調のグレイで描かれた線があることを示しているが、これも点線になる虞がある。
【００３４】
尚、色値に対応付けられるオブジェクトの情報を、（ａ），（ｂ）では「テキスト」、「グラフィックス」という項目で管理し、（ｃ）では、「塗り潰し」、「線画（細線）」という項目で管理するようにしたが、これはあくまで説明の便宜上設定した例である。例えば、（ａ），（ｂ），（ｃ）の全てにおいて、「テキスト」、「グラフィックス」、「塗り潰し」、「線画（細線）」を設定するようにしてもよい。
【００３５】
次に、このようなリスクを分析し、リスクに関する警告又は補正を行う情報分析装置の一例としての画質項目抽出部２１について説明する。
図５は、画質項目抽出部２１の機能構成例を示したブロック図である。
図示するように、画質項目抽出部２１は、色値分布情報生成部８１と、色値分布情報記憶部８２と、リスク分析部８３と、分析結果記憶部８４と、分析結果出力部８５と、補正内容決定部８６と、補正処理部８７とを備えている。
【００３６】
色値分布情報生成部８１は、原稿データに基づく印刷を指示する印刷指示データから画質項目と共に画質項目に指定された色値の情報を抽出し、この画質項目に指定された色値の情報に基づいて色値分布情報を生成する。本実施の形態では、色値情報の一例として、画質項目ごとの色値の情報を用いており、色値情報を抽出する抽出手段一例として、色値分布情報生成部８１を設けている。また、分布状態情報の一例として、色値分布情報を用いており、分布状態情報を生成する生成手段の一例として、色値分布情報生成部８１を設けている。
色値分布情報記憶部８２は、色値分布情報生成部８１が生成した色値分布情報を記憶する。
【００３７】
リスク分析部８３は、色値分布情報記憶部８２に記憶された色値分布情報に基づいて、原稿データにあるリスクを分析する。具体的には、第一に、Ｋトナーのみで印刷することを意図されたオブジェクトが、プロセスＫ（ＣＭＹＫトナーの混色）で印刷されてしまうプロセスＫリスクを分析し、第二に、極ハイライト部、極シャドー部、極グレイ部の色が指定されることにより再現不良を起こしてしまう再現不良リスクを分析し、第三に、細線の色として中間調で表現される色が指定されることにより細線が点線になってしまう色細線リスク等を分析する。本実施の形態では、電子文書を媒体に印刷する際に発生する可能性がある不具合、文書画像に発生する可能性がある不具合の一例として、リスクを用いており、不具合を検出する検出手段の一例として、リスク分析部８３を設けている。
分析結果記憶部８４は、リスク分析部８３による分析結果を記憶する。
分析結果出力部８５は、分析結果記憶部８４に記憶された分析結果を表示機構１５（図１４参照）に出力する。本実施の形態では、不具合に関する情報を出力する出力手段の一例として、分析結果出力部８５を設けている。
補正内容決定部８６は、原稿データにリスクがあり、原稿データに対してリスクを軽減するための補正を行う旨の指示があった場合に、補正内容を決定する。
補正処理部８７は、補正内容決定部８６が決定した補正内容に基づいて、原稿データを補正する。本実施の形態では、印刷指示情報を補正する補正手段の一例として、補正処理部８７を設けている。
【００３８】
図６は、画質項目抽出部２１の動作例を示したフローチャートである。
図示するように、画質項目抽出部２１では、まず、色値分布情報生成部８１が、原稿データに基づく印刷を指示する印刷指示データから画質項目及び画質項目に指定された色値の情報を抽出し、この画質項目及び色値の情報に基づいて色値分布情報を生成し、色値分布情報記憶部８２に記憶する（ステップ２１１）。
次に、リスク分析部８３が、色値分布情報記憶部８２に記憶された色値分布情報に基づいて、原稿データのリスク分析処理を行う。即ち、第一に、プロセスＫリスク分析処理を行う（ステップ２１２）。このプロセスＫリスク分析処理については後述する。第二に、再現不良リスク分析処理を行う（ステップ２１３）。この再現不良リスク分析処理についても後述する。第三に、色細線リスク分析処理を行う（ステップ２１４）。この色細線リスク分析処理についても後述する。そして、これらのリスク分析処理の結果、リスクがあると判断された場合は、そのリスクの種別と、そのリスクを生じさせる原因となった色値等の情報とを含む分析結果が分析結果記憶部８４に記憶される。
【００３９】
すると、分析結果出力部８５が、分析結果記憶部８４に記憶された分析結果を表示機構１５（図１４参照）に出力し、表示機構１５（図１４参照）が分析結果を表示する（ステップ２１５）。即ち、プロセスＫリスク、再現不良リスク、色細線リスクの何れのリスクがあり、如何なる色値がリスクを生じさせる原因となっているかを表示する。
【００４０】
また、分析結果記憶部８４に分析結果が記憶されている場合、つまり、何れかのリスクがある場合は、原稿データのリスクを軽減するための補正に関する処理が行われる。即ち、まず、補正内容決定部８６が、分析結果記憶部８４に記憶された分析結果を１つ取り出す（ステップ２１６）。そして、原稿データに対してこの分析結果におけるリスクを軽減するための補正を行うかどうかをユーザに問い合わせ、ユーザからの応答に基づいて、補正を行うかどうかを判定する（ステップ２１７）。その結果、補正を行うと判定すれば、原稿データに対する補正内容を決定して保存し（ステップ２１８）、ステップ２１９へ進む。この補正内容についても、リスク種別ごとに後述する。一方、補正を行わないと判定すれば、そのままステップ２１９へ進む。
その後、補正内容決定部８６は、分析結果記憶部８４に未処理の分析結果が残っているかどうかを判定し（ステップ２１９）、残っていれば、ステップ２１７に戻り、残っていなければ、ステップ２２０へ進む。
そして、最後に、補正処理部８７が、原稿データの補正を行うと判定されたリスクがある部分を、そのリスクに対してステップ２１８で決定された補正を施した後の部分で置き換える（ステップ２２０）。
【００４１】
図７は、プロセスＫリスク分析処理の流れを示したフローチャートである。尚、ここでは、説明を簡略化するため、色値分布情報の各レコードには、色空間としてＲＧＢが指定されているものとする。
プロセスＫリスク分析処理を行う場合、リスク分析部８３は、まず、図４の色値分布情報の１つのレコードを取り出す（ステップ２２１）。
【００４２】
そして、リスク分析部８３は、取り出したレコードにおける色値が、意図した色を表すものであるかどうかを判定する（ステップ２２２）。即ち、プロセスＫリスクはテキスト及びグラフィックスの多くをＫ１００％又はＫのみで再現しようとしてそのような再現ができないリスクなので、テキストやグラフィックスの多くを最初から黒やグレイ以外の意図した色（例えば赤）で再現しようとした場合を、このステップ２２２で除外している。具体的には、Ｒ、Ｇ、Ｂの平均値が予め定めた閾値（例えば３５）以下であるかどうかを調べ、閾値を超えていれば、黒やグレイ以外の意図した色を表すものであると判定し、閾値以下であれば、黒やグレイ以外の意図した色を表すものでないと判定すればよい。
【００４３】
その結果、取り出したレコードにおける色値が、黒やグレイ以外の意図した色を表すものであると判定されれば、ステップ２２７へ進む。一方、取り出したレコードにおける色値が、黒やグレイ以外の意図した色を表すものでないと判定されれば、リスク分析部８３は、取り出したレコードにおける色値が、Ｋのみでの再現が可能なものであるかどうかを判定する（ステップ２２３）。具体的には、ＲＧＢ色空間における色値について、Ｒ＝Ｇ＝Ｂが成り立つかどうかを調べ、Ｒ＝Ｇ＝Ｂが成り立てば、Ｋのみでの再現が可能なものであると判定し、Ｒ＝Ｇ＝Ｂが成り立たなければ、Ｋのみでの再現が可能なものでないと判定すればよい。
【００４４】
その結果、取り出したレコードにおける色値が、Ｋのみでの再現が可能なものであると判定されれば、ステップ２２７へ進む。一方、取り出したレコードにおける色値が、Ｋのみでの再現が可能なものでないと判定されれば、リスク分析部８３は、取り出したレコードにおける色値が指定されたテキストが多いかどうかを判定する（ステップ２２４）。具体的には、取り出したレコードにおける「テキスト」の数の全レコードにおける「テキスト」の数に対する割合が、予め定めた閾値以上であるかどうかを調べ、閾値以上であれば、テキストが多いと判定し、閾値未満であれば、テキストが少ないと判定すればよい。
その結果、取り出したレコードにおける色値が指定されたテキストが多いと判定されれば、ステップ２２６へ進む。
【００４５】
一方、取り出したレコードにおける色値が指定されたテキストが多いと判定されなければ、リスク分析部８３は、取り出したレコードにおける色値が指定されたグラフィックスが多いかどうかを判定する（ステップ２２５）。具体的には、取り出したレコードにおける「グラフィックス」の数の全レコードにおける「グラフィックス」の数に対する割合が、予め定めた閾値以上であるかどうかを調べ、閾値以上であれば、グラフィックスが多いと判定し、閾値未満であれば、グラフィックスが少ないと判定すればよい。
その結果、取り出したレコードにおける色値が指定されたグラフィックスが多いと判定されれば、ステップ２２６へ進む。一方、取り出したレコードにおける色値が指定されたグラフィックスが多いと判定されなければ、ステップ２２７へ進む。
【００４６】
ステップ２２４でテキストが多いと判定された場合、又は、ステップ２２５でグラフィックスが多いと判定された場合、リスク分析部８３は、リスク種別「プロセスＫ」とこのレコードにおける色値とを対応付けて分析結果として分析結果記憶部８４に記憶する（ステップ２２６）。
そして、最後に、リスク分析部８３は、取り出したレコードが色値分布情報における最終レコードであるかどうかを判定し（ステップ２２７）、最終レコードでなければ、ステップ２２２に戻り、最終レコードであれば、プロセスＫリスク分析処理を終了する。
【００４７】
尚、この動作例では、テキスト及びグラフィックスの多くがＫ１００％で再現されないリスクと、テキスト及びグラフィックスの多くがＫのみで再現されないリスクとを併せて検出するようにしたが、これらのリスクを別々に検出するようにしてもよい。例えば、ステップ２２３では、Ｋ１００％で再現可能かのみを判定するようにしてもよい。
【００４８】
また、この動作例では、取り出したレコードにおける色値が指定されたテキストが多いという条件、及び、取り出したレコードにおける色値が指定されたグラフィックスが多いという条件の少なくとも一方が満たされることを、プロセスＫリスクがあると判定するための１つの条件としたが、この限りではない。例えば、取り出したレコードにおける色値が指定されたテキストが多いという条件、及び、取り出したレコードにおける色値が指定されたグラフィックスが多いという条件の両方が満たされることを、プロセスＫリスクがあると判定するための１つの条件としてもよい。
【００４９】
ところで、プロセスＫリスクがある場合の補正としては、例えば、リスク種別「プロセスＫ」に対応付けられた色値をＫのみで再現可能なように変更することが考えられる。具体的には、リスク種別「プロセスＫ」に対応付けられた色値について、Ｒ、Ｇ、Ｂの平均値を算出し、Ｒ、Ｇ、Ｂの全てをこの平均値に揃えることが考えられる。その際、Ｒ、Ｇ、Ｂの平均値が極めて０に近ければ、つまり、Ｒ、Ｇ、Ｂの平均値が予め定めた閾値以下であれば、Ｋ１００％での再現が要求されていたものとみなし、ＲＧＢ＝（０，０，０）としてもよい。
【００５０】
図８は、再現不良リスク分析処理の流れを示したフローチャートである。尚、ここでも、説明を簡略化するため、色値分布情報の各レコードには、色空間としてＲＧＢが指定されているものとする。また、このフローチャートの処理においては、色値分布情報に、オブジェクトの情報として、グラデーション（色の漸次的移行）が施されたグラフィックスの数を管理する項目「グラデーション」が設けられていることを前提とする。
再現不良リスク分析処理を行う場合、リスク分析部８３は、まず、図４の色値分布情報の１つのレコードを取り出す（ステップ２３１）。
【００５１】
そして、リスク分析部８３は、取り出したレコードにおける色値が、極ハイライト部の色値であるかどうかを判定する（ステップ２３２）。具体的には、ＲＧＢが（２５５，２５５，２５５）でなく、その平均値が予め定めた閾値（例えば２５０）を超えているかどうかを調べ、ＲＧＢが（２５５，２５５，２５５）でなく平均値が閾値を超えていれば、極ハイライト部の色値であると判定し、平均値が閾値以下であれば、極ハイライト部の色値でないと判定すればよい。
【００５２】
その結果、取り出したレコードにおける色値が、極ハイライト部の色値であると判定されれば、その色値が指定されたオブジェクトにグラデーションが施されているかどうかを判定する（ステップ２３３）。即ち、グラデーションが施されたオブジェクトに極ハイライト部の色値が指定されると滑らかなグラデーションとならないトラブルが起きるので、このようなトラブルをリスクとして検出する。具体的には、取り出したレコードにおける「グラデーション」が１以上であるかどうかを調べ、１以上であれば、グラデーションが施されていると判定し、０であれば、グラデーションが施されていないと判定すればよい。
【００５３】
その結果、取り出したレコードにおける色値が指定されたオブジェクトにグラデーションが施されていないと判定されれば、ステップ２４１へ進む。一方、取り出したレコードにおける色値が指定されたオブジェクトにグラデーションが施されていると判定されれば、リスク分析部８３は、リスク種別「極ハイライト再現不良」とこのレコードにおける色値とを対応付けて分析結果として分析結果記憶部８４に記憶する（ステップ２３４）。
【００５４】
また、ステップ２３２で、取り出したレコードにおける色値が、極ハイライト部の色値でないと判定されれば、リスク分析部８３は、取り出したレコードにおける色値が、極シャドー部の色値であるかどうかを判定する（ステップ２３５）。具体的には、ＲＧＢが（０，０，０）でなく、その平均値が予め定めた閾値（例えば２０）以下であるかどうかを調べ、ＲＧＢが（０，０，０）でなく平均値が閾値以下であれば、極シャドー部の色値であると判定し、平均値が閾値を超えていれば、極シャドー部の色値でないと判定すればよい。
【００５５】
その結果、取り出したレコードにおける色値が、極シャドー部の色値であると判定されれば、その色値が指定されたオブジェクトにグラデーションが施されているかどうかを判定する（ステップ２３６）。即ち、グラデーションが施されたオブジェクトに極シャドー部の色値が指定されると滑らかなグラデーションとならないトラブルが起きるので、このようなトラブルをリスクとして検出する。具体的には、取り出したレコードにおける「グラデーション」が１以上であるかどうかを調べ、１以上であれば、グラデーションが施されていると判定し、０であれば、グラデーションが施されていないと判定すればよい。
【００５６】
その結果、取り出したレコードにおける色値が指定されたオブジェクトにグラデーションが施されていないと判定されれば、ステップ２４１へ進む。一方、取り出したレコードにおける色値が指定されたオブジェクトにグラデーションが施されていると判定されれば、リスク分析部８３は、リスク種別「極シャドー再現不良」とこのレコードにおける色値とを対応付けて分析結果として分析結果記憶部８４に記憶する（ステップ２３７）。
【００５７】
更に、ステップ２３５で、取り出したレコードにおける色値が、極シャドー部の色値でないと判定されれば、リスク分析部８３は、取り出したレコードにおける色値が、極グレイ部の色値であるかどうかを判定する（ステップ２３８）。具体的には、ＲＧＢがＲ＝Ｇ＝Ｂを満たさず、Ｒ、Ｇ、Ｂのその平均値からのずれの全てが予め定めた範囲内にあるかどうかを調べ、ＲＧＢがＲ＝Ｇ＝Ｂを満たさず平均値からのずれの全てが範囲内であれば、極グレイ部の色値であると判定し、平均値からのずれの何れかが範囲外であれば、極グレイ部の色値でないと判定すればよい。
【００５８】
その結果、取り出したレコードにおける色値が、極グレイ部の色値であると判定されれば、その色値が指定されたオブジェクトにグラデーションが施されているかどうかを判定する（ステップ２３９）。即ち、グラデーションが施されたオブジェクトに極グレイ部の色値が指定されると、赤っぽいグレイ、緑っぽいグレイ、青っぽいグレイが周期的に現れる所謂レインボーバンディングが発生するトラブルが起きるので、このようなトラブルをリスクとして検出する。具体的には、取り出したレコードにおける「グラデーション」が１以上であるかどうかを調べ、１以上であれば、グラデーションが施されていると判定し、０であれば、グラデーションが施されていないと判定すればよい。
【００５９】
その結果、取り出したレコードにおける色値が指定されたオブジェクトにグラデーションが施されていないと判定されれば、ステップ２４１へ進む。一方、取り出したレコードにおける色値が指定されたオブジェクトにグラデーションが施されていると判定されれば、リスク分析部８３は、リスク種別「極グレイ再現不良」とこのレコードにおける色値とを対応付けて分析結果として分析結果記憶部８４に記憶する（ステップ２４０）。
更にまた、ステップ２３８で、取り出したレコードにおける色値が、極グレイ部の色値でないと判定されれば、ステップ２４１へ進む。
【００６０】
そして、最後に、リスク分析部８３は、取り出したレコードが色値分布情報における最終レコードであるかどうかを判定し（ステップ２４１）、最終レコードでなければ、ステップ２３２に戻り、最終レコードであれば、再現不良リスク分析処理を終了する。
【００６１】
尚、この動作例では、極ハイライト部、極シャドー部、極グレイ部の色値の何れかが指定されたオブジェクトがあるとき、そのオブジェクトにグラデーションが施されている場合に再現不良リスクとして検出するようにしたが、そのオブジェクトが他の条件を満たしている場合に再現不良リスクとして検出するようにしてもよい。そのような他の条件としては、例えば、オブジェクトの面積が閾値以上である等の条件が考えられる。或いは、他の条件を満たすことを要求せず、極ハイライト部、極シャドー部、極グレイ部の色値の何れかが指定されたオブジェクトがあるというだけで、これを再現不良リスクとして検出してもよい。
【００６２】
ところで、再現不良リスクがある場合の補正としては、例えば、リスク種別「極ハイライト再現不良」に対応付けられた色値を、通常のデバイスで再現可能な明るい濃度の色値に変更し、リスク種別「極シャドー再現不良」に対応付けられた色値を、通常のデバイスで再現可能な暗い濃度の色値に変更し、リスク種別「極グレイ再現不良」に対応付けられた色値を、同程度の濃度のＲ＝Ｇ＝Ｂを満たす色値に変更することが考えられる。
【００６３】
図９は、色細線リスク分析処理の流れを示したフローチャートである。尚、ここでも、説明を簡略化するため、色値分布情報の各レコードには、色空間としてＲＧＢが指定されているものとする。
色細線リスク分析処理を行う場合、リスク分析部８３は、まず、図４の色値分布情報の１つのレコードを取り出す（ステップ２５１）。
【００６４】
そして、リスク分析部８３は、取り出したレコードにおける色値が、中間調で表現される色値であるかどうかを判定する（ステップ２５２）。具体的には、Ｒ、Ｇ、Ｂの何れかが０及び２５５以外であるかどうかを調べ、Ｒ、Ｇ、Ｂの何れかが０及び２５５以外であれば、中間調で表現される色値であると判定し、Ｒ、Ｇ、Ｂの全てが０又は２５５であれば、中間調で表現される色値でないと判定すればよい。
【００６５】
その結果、取り出したレコードにおける色値が、中間調で表現される色値でないと判定されれば、ステップ２５５へ進む。一方、取り出したレコードにおける色値が、中間調で表現される色値であると判定されれば、リスク分析部８３は、その色値が指定されたオブジェクトに細線があるかどうかを判定する（ステップ２５３）。具体的には、取り出したレコードにおける「線画（細線）」が１以上であるかどうかを調べ、１以上であれば、細線があると判定し、０であれば、細線がないと判定すればよい。
【００６６】
その結果、取り出したレコードにおける色値が指定されたオブジェクトに細線がないと判定されれば、ステップ２５５へ進む。一方、取り出したレコードにおける色値が指定されたオブジェクトに細線があると判定されれば、リスク分析部８３は、リスク種別「色細線」とこのレコードにおける色値とを対応付けて分析結果として分析結果記憶部８４に記憶する（ステップ２５４）。
そして、最後に、リスク分析部８３は、取り出したレコードが色値分布情報における最終レコードであるかどうかを判定し（ステップ２５５）、最終レコードでなければ、ステップ２５２に戻り、最終レコードであれば、色細線リスク分析処理を終了する。
【００６７】
ところで、色細線リスクがある場合の補正としては、例えば、リスク種別「色細線」に対応付けられた色値を中間調で表現されないように変更することが考えられる。具体的には、リスク種別「色細線」に対応付けられた色値が明るい赤を示すものであれば、その色値をＲＧＢ＝（２５５，０，０）とすればよい。
【００６８】
このように、本実施の形態では、リスク分析部８３が、プロセスＫリスク分析処理、再現不良リスク分析処理、色細線リスク分析処理を行うようにしたが、これらには限らない。例えば、同じ色の隣接するオブジェクト間にオブジェクト種別の差異により色段差が生ずる色段差リスクを分析する色段差リスク分析処理を行うようにしてもよい。
この色段差リスク分析処理について簡単に説明する。
まず、色段差が生じるためには、画質指示（図１２参照）における処理手順情報の一例である色味に「オブジェクト最適化」が設定されていることが必要である。ここで、「オブジェクト最適化」とは、オブジェクト種別ごとに異なる色変換を行うことによりオブジェクト種別ごとに相応しい色味を再現するための設定であり、色値の処理を文書要素の種別に応じた処理手順で行うことの一例である。つまり、原稿データ全体に対して一律にイメージ用の色変換を行うのではなく、原稿データのイメージの部分に対してはイメージ用の色変換を行い、原稿データのグラフィックスの部分に対してはグラフィックス用の色変換を行うというものである。
【００６９】
画質指示においてこのような設定がなされていることを前提として、異なる種別のオブジェクトが隣接して配置され、これらのオブジェクトに対して同じ色値が指定されている場合を考える。この場合、これらの互いに隣接するオブジェクトの領域は、原稿データを作成するアプリケーションでは、オブジェクトの境界のない同じ色の１つの領域に見えたとしても、実際に印刷した媒体上では、オブジェクト種別ごとに異なる色変換を行うことでトナー量が異なってくるため、オブジェクトの境界に色段差が発生して見えることになる。
【００７０】
また、色段差リスク分析処理は、図４の色値分布情報に、各オブジェクトの原稿データ内での位置を示す位置情報を記憶した上で、次のように行う。即ち、まず、ある色値が指定された異なる種別のオブジェクトがあるかどうかを判定する。異なる種別のオブジェクトがあると判定されれば、次に、これらのオブジェクトが互いに隣接するかどうかを位置情報に基づいて判定する。そして、これらのオブジェクトが互いに隣接すると判定されれば、色段差リスクとして検出する。
【００７１】
ところで、図５〜９の説明では、原稿データのリスク分析や、原稿データにリスクがある場合の補正を行う際に、印刷指示データに付随してターゲット装置３０ａ及びハンドリング装置３０ｂに送信される画質指示（図１２参照）は考慮しなかったが、画質指示を考慮してリスク分析や補正を行うようにしてもよい。
その場合、まず、図６のステップ２１１では、色値分布情報生成部８１が、画質指示の情報を抽出し、これも加味して色値分布情報を生成し、この画質指示の情報が加味された色値分布情報に基づいてリスク分析を行う。例えば、色細線リスク分析処理において、画像指示のスクリーンが「低線数」又は「中線数」であるという条件が更に満たされた場合に、色細線リスクと判定することが考えられる。
また、図６のステップ２１８では、補正内容決定部８６が、画像指示に対する補正内容を決定して保存し、図６のステップ２２０では、補正処理部８７が、画質指示のリスクに関係する部分を、そのリスクに対して決定された補正を施した後の部分で置き換える。例えば、色細線リスクがある場合には、画質指示のスクリーンを「低線数」又は「中線数」から「高線数」に変更することが考えられる。また、色段差リスクがある場合には、画質指示の色味を「オブジェクト最適化」から「イメージ用」又は「グラフィックス用」に変更することが考えられる。
【００７２】
ここで、更に、図３のステップ２０８で生成される画質ターゲット情報について説明する。
図１０は、画質ターゲット情報の具体例を示した図である。
図中、「Image/」の部分は、色やスクリーンに関する目標を記述する部分である。そして、「Color/」の部分において、「Intent=Perceptual」は、色域マッピングを知覚重視で行うことを、「Gray=Normal」は、通常の方法でＫ版を生成することを、それぞれ示しており、全体的な色再現に関する目標記述の例である。一方、「RGB」、「CMYK」等は、特定の色に対する目標記述の例である。
また、「Other/」の部分は、画像処理のポリシーに関する目標を記述する部分である。「Policy/」の部分において、「OOR=OFF」は、オブジェクトごとにレンダリング処理を変えないことを、「OOH=OFF」は、オブジェクトごとにスクリーン処理を変えないことを、それぞれ示している。
尚、ここでは、画質ターゲット情報を構造型文書の形式で示したが、これはあくまで一例であって、これに限られるものではない。
また、このような画質ターゲット情報は、複数の画像ハンドリングシステムで共有してもよい。
【００７３】
次に、画像ハンドリングシステムにおける画像ハンドリング処理時の動作について説明する。
図１１は、このときの画像ハンドリング部７０の動作例を示したフローチャートである。
ユーザは、アプリケーション１８上で、画質特性を合わせたい原稿データと、原稿を出力したいハンドリング装置３０ｂとを指定する。これにより、プリンタドライバ１９が原稿データに基づく印刷を指示する印刷指示データを生成して入力情報通知部４１ｂに送信し、入力情報通知部４１ｂがこれを受信すると、画像ハンドリング部７０の動作が開始する。尚、この動作例では、図３のステップ２０９でハンドリング装置３０ｂ内に記憶した画質ターゲット情報を読み出して利用する第１のケース、図３のステップ２０８で端末装置１０内に保存した画質ターゲット情報を添付して利用する第２のケース、画質ターゲット情報を利用しない第３のケースを想定している。
【００７４】
画像ハンドリング部７０では、まず、指示判定部７１及び描画判定部７２が、指定された原稿データに基づく印刷を指示する印刷指示データを入力情報通知部４１ｂから取得する（ステップ７０１）。
そして、指示判定部７１が、印刷指示データに含まれる画質指示の内容を判定し、描画判定部７２が、印刷指示データに含まれる描画コマンドの内容を判定し、これらの判定結果を画像ハンドリングターゲット決定部７３に伝える（ステップ７０２）。ここで、画質指示は、上記第１のケースでは、画質ターゲット情報を指定する情報と画質に関する印刷設定とを含み、上記第２のケースでは、画質ターゲット情報を保存したファイルと画質に関する印刷設定とを含み、上記第３のケースでは、画質に関する印刷設定のみを含む。そこで、画質指示の内容の判定では、画質指示がこれらの何れに該当するかも判定する。
【００７５】
次に、画像ハンドリングターゲット決定部７３は、指示判定部７１から伝えられた判定結果によって、画質指示が画質ターゲット情報を指定する情報を含むことが示されているかどうかを判定する（ステップ７０３）。その結果、画質指示が画質ターゲット情報を指定する情報を含むことが示されていれば、既に画質ターゲット情報記憶部７４に記憶されている画質ターゲット情報の中から指定された画質ターゲット情報を選択する（ステップ７０４）。そして、画質ターゲット情報と、印刷設定とに基づいて、画像ハンドリングの目標を決定する（ステップ７０７）。
【００７６】
また、画質指示が画質ターゲット情報を指定する情報を含むことが示されていなければ、画像ハンドリングターゲット決定部７３は、指示判定部７１から伝えられた判定結果によって、画質指示が画質ターゲット情報を保存したファイルを含むことが示されているかどうかを判定する（ステップ７０５）。その結果、画質指示が画質ターゲット情報を保存したファイルを含むことが示されていれば、そのファイルに保存された画質ターゲット情報を一時的にその印刷指示データのみに適用する画質ターゲット情報として取得する（ステップ７０６）。そして、画質ターゲット情報と、印刷設定とに基づいて、画像ハンドリングの目標を決定する（ステップ７０７）。
【００７７】
更に、画質指示が画質ターゲット情報を保存したファイルを含むことが示されていなければ、画像ハンドリングターゲット決定部７３は、印刷設定のみに基づいて、画像ハンドリングの目標を決定する（ステップ７０８）。
その後、画像ハンドリングターゲット決定部７３は、ハンドリング装置３０ｂで出力される画像の画質特性をステップ７０７又はステップ７０８で決定された目標に近付けるためのデータを、描画処理部４２ｂ、色再現処理部４３ｂ、中間調処理部４４ｂの各処理部に供給する（ステップ７０９）。尚、この場合、ハンドリング装置３０ｂで出力される画像の画質特性を目標に近付けるために、描画コマンドの書き換えが必要であれば、描画判定部７２で内容の判定が行われた描画コマンドを書き換えて描画処理部４２ｂに供給する。また、画像ハンドリングターゲット決定部７３が各処理部に供給するデータを生成する際には、画像ハンドリングパラメータ記憶部７５に記憶された画像ハンドリングパラメータも用いられる。
【００７８】
ここで、図１３のステップ７０１で取得する印刷指示データについて説明する。
図１２は、印刷指示データに含まれる画質指示について示した図である。
画質指示としては、上記第２のケースにおける画質ターゲット情報を保存したファイルも考えられるが、ここでは、上記第１のケースにおける画質ターゲット情報を指定する情報（指定情報）と、プリンタドライバ１９上での画質に関する印刷設定とを示している。具体的には、Index１，２，３の画質指示は、印刷設定として、解像度、階調情報、スクリーン、色味等の画質項目ごとの設定情報を含んでおり、Index４，５の画質指示は、画質ターゲット情報を指定する情報として、画質ターゲット情報に付与された「高画質」、「カスタム１」等の名称を含んでいる。
尚、ここで示した画質項目はあくまで一例であり、これら以外にも、入力色信号（例えば、ＣＭＹＫ、ＲＧＢ）に対する色再現、入力線幅指定（例えば、ｍｍ、ｐｉｘｅｌ）に対する細線再現、オブジェクトごとの画像処理ポリシー（ＯＯＲ／ＯＯＨ）、スクリーン角度、オブジェクトの描画方法（ラスタかベクタか）等が考えられる。
【００７９】
図１３は、印刷指示データに含まれる描画コマンドについて示した図である。
図では、描画コマンドに対して、その描画コマンドによる実際の描画の内容を示している。ここで、例えば文字描画１と文字描画２のように、同じ原稿データに対して、実際の描画内容が異なる場合がある。このような場合、ハンドリング装置３０ｂの画質特性をターゲット装置３０ａの画質特性に合わせることが困難になることがある。そのため、ターゲット装置３０ａにおける描画内容を出力結果から予測し、これをハンドリング装置３０ｂにも反映することで、出力結果をより近付ける。
【００８０】
次に、端末装置１０のハードウェア構成について説明する。
図１４は、端末装置１０のハードウェア構成を示した図である。
図示するように、端末装置１０は、演算手段であるＣＰＵ（Central Processing Unit）１１と、記憶手段であるメインメモリ１２及び磁気ディスク装置（ＨＤＤ：Hard Disk Drive）１３とを備える。ここで、ＣＰＵ１１は、ＯＳ（Operating System）やアプリケーション等の各種ソフトウェアを実行し、上述した各機能を実現する。また、メインメモリ１２は、各種ソフトウェアやその実行に用いるデータ等を記憶する記憶領域であり、磁気ディスク装置１３は、各種ソフトウェアに対する入力データや各種ソフトウェアからの出力データ等を記憶する記憶領域である。
更に、端末装置１０は、外部との通信を行うための通信Ｉ／Ｆ１４と、ビデオメモリやディスプレイ等からなる表示機構１５と、キーボードやマウス等の入力デバイス１６とを備える。
【００８１】
最後に、ターゲット装置３０ａ及びハンドリング装置３０ｂとして機能する画像処理装置３０の機構について説明する。
図１５は、画像処理装置３０の構成例を示した図である。この画像処理装置３０は、所謂タンデム型のカラープリンタであり、画像データに基づき画像形成を行う画像形成部５０と、画像処理装置３０全体の動作を制御する主制御部３１とを備えている。更には、例えばＰＣ等との通信を行って印刷指示データを受信する通信部３２と、原稿から画像を読み取って読取画像を生成する画像読取部６０と、通信部３２で受信した印刷指示データや画像読取部６０で生成した読取画像等に対し予め定めた画像処理を施すことで画像データを取得して画像形成部５０に転送する画像処理部４０と、ユーザからの操作入力の受付やユーザに対する各種情報の表示を行うユーザインターフェース（ＵＩ）部３３とを備えている。
【００８２】
画像形成部５０は、例えば電子写真方式により画像を形成する構成部であって、並列して配置される４つの画像形成ユニット５１Ｙ,５１Ｍ,５１Ｃ,５１Ｋ（以下、「画像形成ユニット５１」という）を備えている。各画像形成ユニット５１は、機能部材として、例えば、矢印Ａ方向に回転しながら静電潜像が形成され、その後にトナー像が形成される感光体ドラム５２と、感光体ドラム５２の表面を予め定められた電位で帯電する帯電器５３と、帯電器５３により帯電された感光体ドラム５２を画像データに基づいて露光する露光器５４と、感光体ドラム５２上に形成された静電潜像を各色トナーにより現像する現像器５５と、転写後の感光体ドラム５２表面を清掃するドラムクリーナ５６とを備えている。
画像形成ユニット５１各々は、現像器５５に収容されるトナーを除いて概ね同じ構成であり、それぞれがイエロー（Ｙ）、マゼンタ（Ｍ）、シアン（Ｃ）、黒（Ｋ）のトナー像を形成する。
【００８３】
また、画像形成部５０は、各画像形成ユニット５１の感光体ドラム５２にて形成された各色トナー像が多重転写される中間転写ベルト６１と、各画像形成ユニット５１にて形成された各色トナー像を中間転写ベルト６１に順次転写（一次転写）する一次転写ロール６２とを備えている。更に、中間転写ベルト６１上に重畳して転写された各色トナー像を記録媒体（記録紙）である用紙Ｐに一括転写（二次転写）する二次転写ロール６３と、二次転写された各色トナー像を用紙Ｐ上に定着させる定着器６５とを備えている。
【００８４】
画像形成部５０の画像形成ユニット５１各々は、上記の機能部材を用いた電子写真プロセスによりイエロー（Ｙ）、マゼンタ（Ｍ）、シアン（Ｃ）、ブラック（Ｋ）の各色トナー像を形成する。各画像形成ユニット５１にて形成された各色トナー像は、一次転写ロール６２により中間転写ベルト６１上に順に静電転写され、各色トナーが重畳された合成トナー像を形成する。中間転写ベルト６１上の合成トナー像は、中間転写ベルト６１の移動（矢印Ｂ方向）に伴って二次転写ロール６３が配置された二次転写領域Ｔｒに搬送され、用紙収容容器３５から供給される用紙Ｐ上に一括して静電転写される。その後、用紙Ｐ上に静電転写された合成トナー像は、定着器６５によって定着処理を受けて用紙Ｐ上に定着される。そして、定着画像が形成された用紙Ｐは、画像処理装置３０の排出部に設けられた用紙積載部３６に搬送され集積される。
【００８５】
一方、一次転写後に感光体ドラム５２に付着しているトナー（一次転写残トナー）、及び、二次転写後に中間転写ベルト６１に付着しているトナー（二次転写残トナー）は、それぞれドラムクリーナ５６及びベルトクリーナ６４によって除去される。
このようにして、画像処理装置３０での画像形成処理がプリント枚数分のサイクルだけ繰り返し実行される。
【００８６】
ここで、この画像処理装置３０において、画像形成部５０及び画像読取部６０は、それぞれの基準の特性に近付けるためにキャリブレーションされていることが望ましい。
また、画像処理装置３０は、画質項目抽出部２１が抽出した画質項目に応じて、事前処理を行うようにしてもよい。このような事前処理としては、画像処理部４０における階調補正、画像形成部５０におけるレジ補正、複数枚ランニング等がある。
更に、画像読取部６０は、画質項目抽出部２１が抽出した画質項目に応じて、画像読取部６０ａの読み取り精度や読み取り位置等を変化させてもよい。
【００８７】
また、本実施の形態では、リスク分析を、端末装置１０の画像ハンドリングユーティリティ２０内で行うようにしたが、これには限らない。例えば、端末装置１０に接続された独立の装置内で行ってもよい。
【００８８】
尚、本実施の形態を実現するプログラムは、通信手段により提供することはもちろん、ＣＤ−ＲＯＭ等の記録媒体に格納して提供することも可能である。
【符号の説明】
【００８９】
１０…端末装置、１８…アプリケーション、１９…プリンタドライバ、２０…画像ハンドリングユーティリティ、２１…画質項目抽出部、２２…抽象化原稿生成部、２３…描画オブジェクト記憶部、２４…出力指示部、２５…読取画像受付部、２６…画質特性比較部、２８…画質ターゲット情報生成部、３０ａ…ターゲット装置、３０ｂ…ハンドリング装置、４０ａ，４０ｂ…画像処理部、５０ａ，５０ｂ…画像形成部、６０ａ，６０ｂ…画像読取部、７０…画像ハンドリング部、７１…指示判定部、７２…描画判定部、７３…画像ハンドリングターゲット決定部、７４…画質ターゲット情報記憶部、７５…画像ハンドリングパラメータ記憶部、８０…ネットワーク、８１…色値分布情報生成部、８２…色値分布情報記憶部、８３…リスク分析部、８４…分析結果記憶部、８５…分析結果出力部、８６…補正内容決定部、８７…補正処理部
【図１】
0005736893.tif 000002
【図２】
0005736893.tif 000003
【図３】
0005736893.tif 000004
【図４】
0005736893.tif 000005
【図５】
0005736893.tif 000006
【図６】
0005736893.tif 000007
【図７】
0005736893.tif 000008
【図８】
0005736893.tif 000009
【図９】
0005736893.tif 000010
【図１０】
0005736893.tif 000011
【図１１】
0005736893.tif 000012
【図１２】
0005736893.tif 000013
【図１３】
0005736893.tif 000014
【図１４】
0005736893.tif 000015
【図１５】
0005736893.tif 000016